(57)【特許請求の範囲】
【請求項１】
縁（６）によって互いに接続される２面（４と５）を有するプラスチック製の分析パック（１）内で移送手段によって動かされる少なくとも一つの流体（Ｆ５）を導くことを可能にする、少なくとも一つの導管（３）が接続されている弁（２）において、前記分析パック（１）の少なくとも一つの面（４および／または５）に部分的に固定される、可撓性かつ／または変形できるフィルム（７）と、作動または非作動とすることが可能な、フィルム（７）の圧縮手段（８）とから成り、
前記フィルム（７）は、前記分析パック（１）の少なくとも一つの面（４および／または５）において前記弁（２）の周縁に設けられた溝（９）の内部の固定部位で固定されており、前記固定部位は、前記フィルム（７）と前記分析パック（１）との溶着部（１０）により形成されていることを特徴とする弁。
【請求項２】
前記分析パック（１）上の前記フィルム（７）の固定部位は、前記弁（２）に関係する導管（３）の周縁に配置されており、
前記導管（３）は、ある流体の少なくとも一つの流入導管（３）と、ある流体の少なくとも一つの流出導管（３）とからなり、２つの流体は同一でも異なっていてもよいことを特徴とする請求項１に記載の弁。
【請求項３】
前記固定部位が弁（２）の周縁溶着（１０）によって確保されることを特徴とする請求項１または２のいずれか一つに記載の弁。
【請求項４】
前記圧縮手段（８）が弁（２）の導管（３）の少なくとも一つと前記分析パック（１）の関係する面（４または５）の間の交差点の部位で前記フィルム（７）に作用することを特徴とする請求項１から３のいずれか一つに記載の弁。
【請求項５】
前記圧縮手段（８）が可撓性舌部（８）によって構成されることを特徴とする請求項１から４のいずれか一つに記載の弁。
【請求項６】
前記圧縮手段（８）は、閉鎖手段（１１）と、開放または閉鎖手段（１２または１８）とを備え、前記閉鎖手段（１１）と前記開放または閉鎖手段（１２または１８）とは作動手段（１４）に協働することを特徴とする請求項１から５のいずれか一つに記載の弁。
【請求項７】
前記閉鎖手段（１１）がエラストマ製の駒（１１）であり、前記開放または閉鎖手段（１２または１８）が斜面（１２または１８）であることを特徴とする請求項６記載の弁。
【請求項８】
前記フィルム（７）が、前記弁（２）の部位で前記弁（２）が閉鎖位置にあるとき、前記分析パック（１）の平坦な面（４または５）と接触し、前記弁（２）が開放位置にあるとき、前記平坦な面（４または５）から持ち上げられることを特徴とする請求項１から７のいずれか一つに記載の弁。
【請求項９】
前記弁（２）が並んで位置づけられ、全部または一部が、前記分析パック（１）の少なくとも一つの縁（６）にそって配置され、並んで位置づけられる弁（２）の圧縮に充てられる圧縮手段（８）を備えることを特徴とする請求項１から８のいずれか一つに記載の複数個の弁（２）を備える分析パック。
【請求項１０】
前記圧縮手段の各々は、帯状の薄板（１３）を形成するために互いに接続されていることを特徴とする請求項９記載の分析パック。
【請求項１１】
前記弁（２）がある一つまたは複数の縁（６）が直線であり、それぞれの弁（２）の設置箇所に対して前記縁（６）を分離する距離が一定であることを特徴とするほぼ平行六面体の請求項９または１０に記載の分析パック。
【請求項１２】
並んで位置づけられる隣接する２つの弁（２）が１と５mmの間に含まれるピッチで分離されることを特徴とする請求項９から１１のいずれか一つに記載の分析パック。
【請求項１３】
前記並んで位置づけられる隣接する２つの弁（２）のピッチが、３．９６ｍｍ、２．５４ｍｍまたは１．２８ｍｍのピッチであることを特徴とする請求項１２記載の分析パック。
【請求項１４】
・同じ縁（６）の弁（２）全体を中間区域（３３）に面する同一平面内に配置して、互いに平行に配置される分析パック（１）の保存区域（３１）と、
・手動または自動制御装置に組み合わされ、長手方向の運動が前記中間区域（３３）の方向に行われる、電磁石などのアクチュエータ（１４）で構成される弁（２）の開閉の制御区域（３２）と、
・保存区域（３１）と制御区域（３２）の間のインターフェイスの役割を果たす中間区域（３３）であって、一方が弁（２）の開放を可能にし、他方が閉鎖を可能にする少なくとも２つの位置を有する操作駒（２４）で構成される中間区域（３３）と：
から成ることを特徴とする請求項９から１３のいずれか一つに記載の複数の分析パック（１）の使用を可能にする装置。
【請求項１５】
前記分析パック（１）あたり一つのアクチュエータ（１４）があり、前記弁（２）あたり一つの操作駒（２４）があることを特徴とする請求項１４に記載の装置。
【請求項１６】
前記アクチュエータ（１４）の運動が操作駒（２４）と、作動または非作動を問わず弁（２）の長手方向軸と同軸であることを特徴とする請求項１４または１５に記載の装置。
【請求項１７】
前記アクチュエータ（１４）全体が同一面に取り付けられ、これらのアクチュエータ（１４）によって作動させることができる弁（２）を担持する分析パック（１）の縁（６）全体によって形成される面に平行な軸に沿って移動することを特徴とする請求項１４から１６のいずれか一つに記載の装置。
【請求項１８】
前記操作駒（２４）は、前記弁（２）を開放する位置と、前記弁（２）を閉鎖する位置とを有しており、
前記操作駒（２４）をそれぞれの位置に維持する限定要素（２６）を有しており、
前記限定要素（２６）は、厚さ方向に沿って互いに反対側に位置する一方の面と他方の面とを有しており、
前記弁（２）を開放する前記操作駒（２４）の位置は前記限定要素（２６）の一方の面に位置し、前記弁（２）を閉鎖する前記操作駒（２４）の位置は前記限定要素（２６）の他方の面に位置することを特徴とする請求項１４から１７のいずれか一つに記載の装置。
【請求項１９】
前記限定要素（２６）が、一方が前記操作駒（２４）の運動を阻止し、他方が前記操作駒（２４）のこの運動を可能にする２つの限度位置の間で移動することを特徴とする請求項１８に記載の装置。
【発明の詳細な説明】
【０００１】
【発明の属する技術分野】
本発明は分析パック内で移送手段によって動かされる少なくとも一つの流体を導くために使用される弁の分野に関するものである。それはまたかかる弁を備えた複数のパックの使用を可能にする装置にも関するものである。
【０００２】
【従来の技術】
今日まで、大半の分析パックは平坦かつ平行なその両面上の刳り貫きと横断方向の刳り貫きを備え、それらの刳り貫きの全体がその中を一つまたは複数の流体が移動させられる導管網を構成する。前記刳り貫きは、面の領域で自己接着フィルムによって限定される。
【０００３】
このタイプの構造は再使用できないが、それは弁の使用が一回しか有効でないからである。そのため弁が閉鎖位置に切り替わると、自己接着フィルムの表面もパックの残りの部分と接触し、弁はもはや使えなくなる。弁は閉鎖位置にとどまる。
【０００４】
したがって、唯一の解決法は不活性の、すなわち非接着性のフィルムの上に、穿孔器の作用による打ち抜きをあらかじめ備えた自己接着層を付着させることである。
【０００５】
これは技術的に実現が容易ではなく、加えてかかるフィルムの製造コストと、分析パック上にこのフィルムを正しく配置する困難さのために、大量生産には向かないことになるだろう。
【０００６】
本出願人は番号ＦＲ９８／１１３８３で１９９８年９月８日付で特許出願を提出した。この発明はその中で一つの反応または平行してあるいは順次少なくとも二つの反応を実施することができる装置または分析パックに関するものである。装置は、一方のその中で処理される、および／または分析される少なくとも一つの標本の移送が可能になる導管網と、他方の導管網の部位に移送されるそれぞれの標本の配向、またしたがって、前記装置内の移送、反応と分析の制御を可能にする装置に組み込まれる少なくとも一つの弁とから成る。図１から３の実施態様において、自己接着フィルムとパック本体の間にエラストマ製のタブレットが挿入され、それによって弁の再使用が可能になることがわかる。
【０００７】
したがって、この構造は解決をもたらす。しかしながら、それは要素の数を増やし、機能的分析パックの実現を可能にするコストを増す。
【０００８】
国際公開公報第ＷＯ−Ａ−９７／２７３２４号はこの問題に解決を見つけようとするものである。したがって、それはカセット内に導入される一つまたは複数の標本の移送のために入口開口と出口開口を有する反応を平行して実施するためのカセットに関するものである。カセットの部位に弁が散在し、特別な構造を有する（バーサパック（Ｂｕｒｓａｐａｋ）室、ピストン弁、玉弁）。これらの弁は、連続的外力の作用によって導管を閉鎖したまま維持することができる。この実施態様において、フィルムはカセット上に溶着される。
【０００９】
【発明が解決しようとする課題】
しかしながら、この構造には大きな欠点がある。それはフィルムの溶着を受けるカセットの面の変形にある。元々この面は完全に平坦であるのに、溶着によって変形し、その後のカセットの正しい使用が妨げられる。そのため操作および／または分析のエラーに始まり、はては弁が作動しなくなる。最悪なのは、このタイプのカセットが、よくあるように、自動装置内で用いられる場合である。この構成の場合、溶着によって変形したパックは自動装置全体を停止させ、さらには損傷する。
【００１０】
この発明のもう一つの欠点はパックの上にフィルムを正確に溶着することが必須であることにある。とるに足らないミスから導管の閉塞および／または弁からの漏洩を招くことがある。
【００１１】
【課題を解決するための手段】
本発明は現状技術の課題全体に対して具体的答えをもたらす。すなわち、分析パックの本体上のフィルムの溶着は、溶着が行われる面を損傷することなしに実施される。加えて、溶着位置の許容差がもっと大きいが、それは溶着が弁を構成する区域に限定され、間近でそれと融合しないからである。
【００１２】
このため、本発明は縁によって互いに接続される２面を有する分析パック内で移送手段によって動かされる少なくとも一つの流体を導くことを可能にする、少なくとも一つの導管が貫通している弁において、一方の前記パックの面の少なくとも一つに部分的に固定される、可撓性かつ／または変形できる、フィルムと、他方の作動または非作動とすることが可能な、フィルムの圧縮手段とから成り、溝などの弁の周縁強化部位に位置する固定を介して、例えば平坦な、面の少なくとも一方の部位で固定が実現されることを特徴とする。
【００１３】
変型実施態様によれば、分析パック上のフィルムの固定部位は、弁に関係する導管の周縁に配置されており、導管は、ある流体の少なくとも一つの流入導管と、ある流体の少なくとも一つの流出導管とからなり、２つの流体は同一でも異なっていてもよい。
【００１４】
別の変型実施態様によれば固定は弁の周縁溶着によって確保される。
【００１５】
さらに別の変型実施態様によれば、圧縮手段は弁の導管の少なくとも一つとパックの関係する面の間の交差点の部位でフィルムに作用する。
【００１６】
さらに別の変型実施態様によれば、圧縮手段は可撓性舌部によって構成される。
【００１７】
さらに別の変型実施態様によれば、圧縮手段はエラストマ製の駒のような閉鎖手段と、作動手段と協働する斜面のような、開放または閉鎖手段を備えている。
【００１８】
好適実施態様によれば、少なくとも２つの弁が並んで位置づけられ、並んで位置づけられる、弁の圧縮に充てられる圧縮手段は互いに接続されて帯状の薄板を形成する。
【００１９】
好適には、並んで位置づけられる隣接する２つの弁は１と５mmの間に含まれるピッチで、好適には電子工学分野で用いられる値、例えば、３．９６mm、２．５４mmまたは１．２８mmのピッチで分離される。
【００２０】
別の好適実施態様によれば、フィルムは、弁の部位で、前記弁が閉鎖位置にあるとき、パックの平坦な面と接触し、弁が開放位置にあるとき、前記平坦な面から持ち上げられる。
【００２１】
本発明は、全体または部分的に、前記パックの少なくとも一つの縁に沿って配分される、上述の複数個の弁によって構成される分析パックにも関するものである。
【００２２】
パックがほぼ平行六面体であるとき、弁がある一つまたは複数の縁は直線であり、それぞれの弁の設置箇所に対して前記縁を分離する距離は一定である。
【００２３】
本発明はさらに上述の複数のパックの使用を可能にする装置に関するものである。この装置は、
・互いに平行に配置されるパックの保存区域と、
・手動または自動制御に組み合わされる弁の開閉の制御区域と、
・保存区域と制御区域の間の界面の役割を果たす中間区域：
とから成る。
【００２４】
好適実施態様によれば、同じ縁の弁全体を中間区域と相対した同一面に位置づけてパックは保存区域内に配置され、制御区域は長手方向の運動が前記中間区域の方向に行われる、電磁石などのアクチュエータで構成され、この中間区域は、一方が開放を可能にし、他方が閉鎖を可能にする、少なくとも２つの位置を有する操作駒で構成される。
【００２５】
別の実施態様によれば、装置はパックあたり一つのアクチュエータと弁あたり一つの操作駒を有する。
【００２６】
さらに別の実施態様によれば、アクチュエータの運動は操作駒と、作動または非作動を問わず、弁の長手方向軸と同軸である。
【００２７】
また別の実施態様によれば、アクチュエータ全体は同一面に取り付けられ、これらのアクチュエータによって作動させることができる弁を担持するパックの縁全体によって形成される面に平行な軸に沿って移動する。
【００２８】
別の実施態様によれば、操作駒は一方が弁の開放を、他方が閉鎖を可能にする、可能な２つの位置を有し、それぞれの位置は限定要素の両側にある。
【００２９】
好適には、限定装置は一方が駒の運動を阻止し、他方が前記駒のこの運動を可能にする、２つの限度位置の間で移動する。
【００３０】
【発明の実施の形態】
添付の図面は単に非制限的な例として挙げられたものであり、本発明の理解を助けるだろう。
【００３１】
本発明は分析パックの本体などの硬質媒体上のフィルムの溶着の問題に関するものである。現状技術は図８と９によく示されているように、パック２０の本体は互いに平行に相対する完全に平坦な２つの面で主として構成されている。フィルム２１は図８に示したごとく、これらの面の一つの近傍に位置する。溶着２２を実施した後、図９に見るごとく本体２０は変形され、同時にフィルム２１の変形を引き起こしている。このように、この変形はパック２０の本体の表面に凸凹を引き起こすのでその後のこのパックの使用を妨げるだけでなく、フィルム２１が場所によって弱くなる。全体が損傷することがあり、場合によっては将来の分析のためにパックが使用できなくなる。
【００３２】
本発明は、したがって、一般的にプラスチック製の分析パックなどの媒体上のフィルムの溶着の問題を解消することを目的とする。
【００３３】
図１０から１１に見るごとく、前記パック１の本体は可撓性フィルム７の一部をその中に受納する溝９または補強部を特定の場所に備え、前記フィルム７とパック１の本体は溝９の底に位置する溶着部１０によって互いに一体化される。このため、溶着部１０はパック１の表面の変形を全く引き起こさず、したがって、後から前記パック１を使用し、分析を実施するのに何の問題も生じない。
【００３４】
図１は本発明による実施態様の全体透視図である。弁は後で説明するごとく、部分的に図示されている。またこの図では、存在しているにもかかわらず、可撓性フィルム７、およびパック１の本体の中に位置する弁を構成する要素全体も図示されていない。しかしながら、図示された要素は重要である。まず、複数の舌部８によって構成され、固定手段２３によってパック１に固定される帯状の薄板１３が目に付く。これらの舌部８はこの薄板１３にほぼ垂直に帯状の薄板１３の側面の一つの上に延長し、舌部８全体は互いに対して平行である。加えて、隣接する２つの舌部８を隔てる距離は一定なので、隣接する舌部８の全体を分離するピッチが存在する。好適には、このピッチは薄板１３の製造コスト圧縮のために、あるいは現状技術ですでに存在するアクチュエータを用いるために、電子工学分野で使用されるものと同一である。かかるピッチは１と５mmの間に含めることが可能で、より正確には３．６９mm、２．５４mmまたは１．２８mmに等しい。
【００３５】
前記薄板１３の部位で、パック１の本体と、そしてもちろん（図示されていない）フィルム７とこの薄板１３の間に直接接触がある。図の右に目を移すとわかるように、斜めの面があり、ついでパック１の上面に平行な面があり、最後に斜めの面があって、２つの斜めの面が相互にほぼ９０度の角度を形成するが、この角度には全く制限がない。したがって、第二の斜めの面の下にパック１の上面のすぐ近傍に位置づけられるもう一つの平行な面がある。この面が、下にある弁２の一部を構成する導管３を直接開閉することができる。この面の右端に存在する斜面になった最後の面１２の目的は、この図の右端に位置する、ピストン形１４のアクチュエータと協働することである。
【００３６】
アクチュエータ１４のヘッドは円錐形で、この形がヘッドが可撓性舌部８の開放手段の斜面１２とパック１の斜めの表面１９の間にかみ合うことを可能にする。この斜めの表面１９は前記パック１の第一の上面４と縁６の間に位置し、このパックは第二の下面５も備えている。
【００３７】
閉鎖を可能にする、可撓性舌部８の面は閉鎖手段１１またはエラストマ製駒１１を備えているが、その役割については後述する。この駒１１および開放手段または斜面１２は図２に明らかに示されている。
【００３８】
さらに図１には、図３とまったく同じように、アクチュエータ１４全体が媒体１６の上に取り付けられていることが示され、一方それぞれのアクチュエータ１４には圧縮空気１５のための供給管を介してＦ１またはＦ２にそって圧搾空気が供給される。
【００３９】
図１とあわせ見ることによって図３の作動がもっとよく理解できるだろう。圧縮空気が供給管１５に入ったとき、ピストン１４はＦ３にそって動かされ、舌部８はＦ４方向に倒れる。反対に圧縮空気がＦ２にそって出たとき、ピストン１４と舌部８の運動は図３のＦ３とＦ４の矢印と逆になる。
【００４０】
図３に見るごとく、弁２は閉じた位置にあるが、それは閉鎖手段またはエラストマ製駒１１が導管３とフィルム７の存在する分析パック１の表面の交差点を圧縮するからである。
【００４１】
図４は可撓性舌部８全体が引き抜かれた場合の図１の上面図である。この場合、それぞれの弁２は前記パック１の平坦な表面の残りと同じレベルに位置する小さな平坦な表面で構成されることがわかる（図５と６も併せて参照）、またこの小さな表面は少なくとも一つの流入導管３と流出導管３とからなり、この表面と流体の流入および流出導管３は図５に明示されているようにフィルム７と接触している。この場合、弁は閉じており、さらに図５に見るごとく、エラストマ製駒１１が２本の導管３の一方をふさぐことを示すために、駒１１は模式的に示されている。もちろん駒１１は一方または他方の、あるいは両方の導管３をふさぐことができる。加えて、弁の部位で、もっと多くの、つまり３以上の導管をそなえることができる。
【００４２】
パックがある数の室１７を備えていることもわかる。室１７は導管３を介して弁に接続され、図示されていないが、他の弁と他の室がパック１の残りの部分の上に存在することが可能で、それによってもはや直列ではなく平行に位置づけられる２つの導管網３の間で交換を実施することができる。それはこの図４に明示されており、パック１の部位のＦ６にそった流体運動が室１７の部位で混合または分析を実施するために２つの液体を接近させることができる。
【００４３】
つぎに図５と６に見るごとくパック１の上面４の上に可撓性フィルム７があるが、現状技術の分析で説明したようにこのフィルムは自己接着型ではない。したがって、このフィルム７は弁２の周辺溝９の部位で１０に溶着される。しかしながら、前記パック１の下面５で、現状技術で周知の自己接着フィルム２１を使用することもできる。もちろん、弁２のパック１の片側、または両側の位置に応じてこの別の面の上に第二の可撓性フィルム７を有することもできる。上面４と下面５は縁６によって互いに接続され、図１，３と４から６に示したごとく、その少なくとも一つに側面に、斜面になった表面１９を有する。
【００４４】
実際、分析パック１内にある一つまたは複数の流体は加圧または発生させた負圧を介してこのパック１内で動かされる。図６のＦ５にそった流体運動は、可撓性フィルムが変形可能になり、図示されたごとく流体がＦ５にそって通過できるように、駒１１をＦ４にそって持ち上げることによって実現される。
【００４５】
本発明の第二の実施態様によれば、先に見た可撓性舌部８の役割を逆にすることが可能である。したがって、図７においてわかるように、別の実施態様による可撓性舌部はその自由端に閉鎖手段または斜面１８を有し、その斜面は他の図１から３のそれに対抗する形になっている。ここでピストン１４は斜面１８の下で作用するのではなく、前記ピストン１４が図７に示した位置にあるとき、弁が開放されるように、上で作用する。反対に、圧縮空気がＦ１にそって注入されるとき、アクチュエータはＦ３にそって動き、舌部はＦ７にそって、すなわち下に向かって倒れ、それによって下にある弁が閉じられる。
【００４６】
本発明によるパック１は、したがって、ほぼ平行六面体の、好適には直角平行六面体の形の本体を備えている。したがって、全ての縁６は線形で、後述のごとく、本発明による弁２を受納するのに適している。
【００４７】
同じく好適には、長辺の２つの縁６の少なくとも一つだけが弁２を備えている。図１３において、縁６だけが部分的に示されているが、隣接する４つの弁２だけが図示されているからである。
【００４８】
図１２は装置を構成する３つの本質的区域を示している。左には制御区域３２があり、右には装置に挿入されるパック１の保存区域３１と、保存区域３１と制御区域３２のインターフェイスの役割を果たす中間区域３３がある。
【００４９】
保存区域３１は例えば、パック１の間の間隔を一定にしてそれぞれのパック１を位置づけるための溝を備えた、図示されていない、整理引き出しで構成することができる。
【００５０】
制御区域３２はアクチュエータまたは電磁石１４全体を担持する可動台１６の移動を、同時に回転するだけで可能にする、２本の縦支柱またはウォームギア２７を有する枠で構成される。これらの電磁石１４は、図１２と１３の右から左に、またその逆に長手方向に移動できるピストンをそれぞれ備えている。
【００５１】
したがって、中間区域３３は先に述べた２つの区域３１と３２の間のつなぎの役割をする。中間区域３３は、
・制御区域３２の電磁石１４の作用によって、保存区域３１内に存在するパック１によって担持される弁２の操作ピストン２４のための案内固定プラテン２５と、
・所定の位置に駒２４を維持することを可能にするプログラミング格子または可動あたり止め板２６と，
・前記操作ピストン２４と：
によって構成される。
【００５２】
図１２と１３に示したごとく弁２と同じ数の駒２４があるが、同じパック１の弁２にはただ１つの電磁石１４しかない。もちろん、これは非制限的で、同じパック１の弁２に複数の電磁石１４を有することもできる。
【００５３】
閉じた、または開いた弁２の位置のプログラミングは、したがって、前記板２６に対して出口または復帰位置に前記駒２４を置くことを可能にするために電磁石１４を作用させて駒２４の前の位置のクラッチを切るためにあたり止め板２６を引き抜き、所望の開いたあるいは閉じた弁と駒の位置が関連づけられるようにあたり止め板２６を戻すことによって実施される。試験でわかったように、全てのアクチュエータ１４を介して、パック１の上の同一平面内に位置する全ての弁２をプログラミングするのに１００ミリ秒（ｍｓ）しか必要でない。パック１あたり１０個の弁２があり、１０このパック１を活性化したとき、構成の４７０個の弁１を変えるのに２．５秒（ｓ）必要である。
【００５４】
それぞれの操作駒２４は活動部分２９と当たり止めを形成する肩部３０で構成され、全体はほぼ「釘」の形を有する。活動部分２９はプラテン２５の部位だけでなく、肩部３０を定位置に維持するためのあたり止め板２６の溝の部位で、それに充てられる穴３４内を容易に摺動する。反対に、駒２４が弁２を開いたとき、前記肩部３０はプラテン２５と板２６の間に固定され、前記駒２４が前記弁２を閉じたときは板２６だけで固定される。
【００５５】
したがって、プラテン２５は駒２４があるのと同じ数だけの孔３４を備えた格子の外観を有する。板２６は一方「櫛」の外観を有する。
【００５６】
電磁石を展開するだけでよいので、図１２と１３との関連において、復帰位置から出口位置までの駒２４の運動の理解は容易であるが、逆の運動については話は別である。すなわち、出口位置から復帰位置に移行するためには前記駒２４と接触した電磁石の自由端を磁化すること、あるいは駒２４とあたり止め板２６の間にバネ、または現状技術のその他いっさいの手段を位置づけることができる。また前記駒２４を穴３４の中の位置に維持することを可能にするいっさいの手段を備えることも適切である。
【００５７】
最後に、穴３４の部位の前記プラテン２５と、操作駒２４の間にＯリング２８がある。
【図面の簡単な説明】
【図１】 本発明の好適実施態様による分析パックの透視図である。
【図２】  図１に示した可撓性薄片の一つの下面の透視図である。
【図３】  図１のＡ−Ａに沿った断面図である。
【図４】  舌部が引き抜かれるときの、分析パックの上面図である。
【図５】  弁が閉鎖位置にあるときの、図４のＢ−Ｂに沿った断面図である。
【図６】  弁が開放位置にあるときの、図５と同じ断面図である。
【図７】  図３と同じ断面図で、舌部は異なる構造を有し、上記の図と反対の作動様態を有する。
【図８】  現状技術による分析パック本体と可撓性フィルムの、溶着による組み立て前の、断面図である。
【図９】  現状技術による分析パック本体と可撓性フィルムの、溶着による組み立て後の、断面図である。
【図１０】  本発明による分析パック本体と可撓性フィルムの、溶着による組み立て前の、断面図である。
【図１１】  現状技術による分析パック本体と可撓性フィルムの、溶着による組み立て後の、断面図である。
【図１２】  上述の弁を備えた複数のパックを使用することを可能にする装置の部分断面図である。
【図１３】  図１２のＣ−Ｃにそった断面図である。
【符号の説明】
１．分析パック
２．弁
３．導管
４，５．パック１の面
６．パック１の縁
７．可撓性かつ／または変形できるフィルム
８．フィルム７の圧縮手段または可撓性舌部
９．弁２補強部または周縁溝
１０．溝９の底部に位置する周辺溶着部
１１．機密閉鎖手段またはエラストマ製駒
１２．開放手段または斜面
１３，複数の舌部８で構成される帯状の薄板
１４．ピストン型アクチュエータまたはプログラミング電磁石
１５．圧縮空気供給管
１６．支持または可動台
１７．パック１の室
１８．閉鎖手段または斜面
１９．パック１の斜面になった表面
２０．現状技術のパック本体
２１．現状技術のフィルム
２２．パック２０の本体とフィルム２１の間の溶着部
２３．薄板１３固定手段
２４．操作駒
２５．駒２４案内固定プラテン
２６．可動当たり止め板またはプログラミング格子
２７．ウォームギア
２８．Ｏリング
２９．それぞれの駒２４の活動部分
３０．それぞれの駒２４の当たり止め形成肩部
３１．保存区域
３２．制御区域
３３．保存区域３１と制御区域３２の間のインターフェイスの役割を果たす中間区域
３４．駒２４の摺動のためのプラテン２５穴
３５．肩部３０を定位置に維持するためのプラテン２６の溝
Ｆ１．作動手段１２の圧縮空気入口
Ｆ２．作動手段１２の圧縮空気出口
Ｆ３．作動手段１２の運動
Ｆ４．舌部８の転倒
Ｆ５．弁２部位の流体移動
Ｆ６．パック１部位の流体運動
Ｆ７．図７の実施態様による舌部の転倒
【図１】
0004378067.tif 000002
【図２】
0004378067.tif 000003
【図３】
0004378067.tif 000004
【図４】
0004378067.tif 000005
【図５】
0004378067.tif 000006
【図６】
0004378067.tif 000007
【図７】
0004378067.tif 000008
【図８】
0004378067.tif 000009
【図９】
0004378067.tif 000010
【図１０】
0004378067.tif 000011
【図１１】
0004378067.tif 000012
【図１２】
0004378067.tif 000013
【図１３】
0004378067.tif 000014